(57)【要約】【課題】トイレ室において物品を置くためのスペースを確保しながら、トイレ室に居る人に対して衛生的な印象を与えられるトイレ室構造を提供する。【解決手段】トイレ室１の壁１０に設けられ、壁１０から突出してトイレ室１に設置された便器３の上方を覆う使用位置から壁１０に沿う非使用位置まで回動可能なカウンター６を備える。使用位置に配置されたカウンター６の下方に配置されるペーパーホルダー７１を備える。【選択図】図１
2014132965.tif 000002
【特許請求の範囲】
【請求項１】
トイレ室の壁に設けられ、前記壁から突出して前記トイレ室に設置された便器の上方を覆う使用位置から前記壁に沿う非使用位置まで回動可能なカウンターと、前記使用位置に配置された前記カウンターの下方に配置されるペーパーホルダーとを備えたことを特徴とするトイレ室構造。
【請求項２】
前記カウンターの前記使用位置に配置されたときに下面となる面に前記ペーパーホルダーが設けられたことを特徴とする請求項１に記載のトイレ室構造。
【請求項３】
前記使用位置に配置された前記カウンターが前記非使用位置側に向かって回動されたこと、又は前記カウンターが前記非使用位置に配置されたことを検知する検知手段と、この検知手段により前記使用位置に配置された前記カウンターが前記非使用位置側に回動されたこと又は前記カウンターが前記非使用位置に配置されたことを検知した際に、便座加熱手段によって前記便器の便座を加熱する制御又は洗浄水加熱手段によって前記便器から吐出される局部洗浄用の洗浄水を加熱する制御のうちの少なくとも一方の制御を行う制御手段を備えたことを特徴とする請求項１又は請求項２に記載のトイレ室構造。
【請求項４】
前記トイレ室に洗面用設備又は化粧用設備のうちの少なくとも一方が設けられたことを特徴とする請求項１乃至３のいずれか１項に記載のトイレ室構造。
【請求項５】
前記トイレ室に、隣接する浴室への連絡口が設けられたことを特徴とする請求項１乃至４のいずれか１項に記載のトイレ室構造。
【発明の詳細な説明】
【技術分野】
【０００１】
本発明はトイレ室に物品を置くためのカウンターが設けられたトイレ室構造に関する。
【背景技術】
【０００２】
特許文献１には、便器にパネル状の物品搭載用蓋を回動自在に取り付けることが開示されている。この便器は、物品搭載用蓋を倒して便蓋と接触させることで、その上に物品を載置できるようになっている。また、物品搭載用蓋を倒すことで、便蓋の上方を覆えるようになっている。
【先行技術文献】
【特許文献】
【０００３】
【特許文献１】実用新案登録第３１３４１４４号公報
【発明の概要】
【発明が解決しようとする課題】
【０００４】
ところで、特許文献１に開示される物品搭載用蓋は便器に取り付けられており、便器と一体的に見える。このため、利用者に対して衛生的な印象を与え難い。また、例えばトイレ室の壁にはトイレットペーパー（トイレットロール）を保持するペーパーホルダーが設けられる。しかし、ペーパーホルダーを見た人は、便器が存在していることや当該部屋がトイレ室であることを実感しやすく、この点でも利用者に対して衛生的な印象を与えることが難しい。
【０００５】
本発明は上記事情に鑑みてなされたものであって、トイレ室において物品を置くためのスペースを確保しながら、トイレ室に居る人に対して衛生的な印象を与えられるトイレ室構造を提供することを課題とする。
【課題を解決するための手段】
【０００６】
上記課題を解決するために本発明のトイレ室構造は、トイレ室の壁に設けられ、前記壁から突出して前記トイレ室に設置された便器の上方を覆う使用位置から前記壁に沿う非使用位置まで回動可能なカウンターと、前記使用位置に配置された前記カウンターの下方に配置されるペーパーホルダーとを備えたことを特徴とする。
【０００７】
また、前記カウンターの前記使用位置に配置されたときに下面となる面に前記ペーパーホルダーが設けられることが好ましい。
【０００８】
また、前記使用位置に配置された前記カウンターが前記非使用位置側に向かって回動されたこと、又は前記カウンターが前記非使用位置に配置されたことを検知する検知手段と、この検知手段により前記使用位置に配置された前記カウンターが前記非使用位置側に回動されたこと又は前記カウンターが前記非使用位置に配置されたことを検知した際に、便座加熱手段によって前記便器の便座を加熱する制御又は洗浄水加熱手段によって前記便器から吐出される局部洗浄用の洗浄水を加熱する制御のうちの少なくとも一方の制御を行う制御手段を備えることが好ましい。
【０００９】
また、前記トイレ室に洗面用設備又は化粧用設備のうちの少なくとも一方が設けられることが好ましい。
【００１０】
また、前記トイレ室に、隣接する浴室への連絡口が設けられることが好ましい。
【発明の効果】
【００１１】
本発明にあっては、カウンターを使用位置に配置することで、物品をカウンターの上に置くことができる。また、カウンターを使用位置に配置することで、便器やペーパーホルダーをトイレ室に居る人から見え難くすることができる。また、カウンターはトイレ室の壁に設けられるので、便器と一体的に見え難い。よって、利用者に対して衛生的な印象を与えることができる。
【図面の簡単な説明】
【００１２】
【図１】本発明の実施形態のトイレ室においてカウンターを非使用位置に配置した状態を示す斜視図である。
【図２】同上のトイレ室の平面図である。
【図３】同上のトイレ室構造のシステムを示すブロック図である。
【図４】同上のトイレ室においてカウンターを使用位置に配置した状態を示す斜視図である。
【発明を実施するための形態】
【００１３】
以下、本発明を添付図面に基づいて説明する。本発明のトイレ室構造は、例えば単身世帯向けの住宅を始め、その他の一般住宅やホテル等に適用される。図２には本発明のトイレ室構造が適用されたトイレ室１が示されている。この実施形態のトイレ室１は浴室２に隣接しており、洗面室、化粧室、及び脱衣室としても利用される。すなわち、トイレ室１は洗面室、化粧室、及び脱衣室を兼ねている。ここで、化粧室とは単に便器が設置された部屋を意味するものではなく、鏡や化粧台等の化粧設備が設置された化粧をするための部屋を意味する。
【００１４】
図２に示されるように平面視矩形状のトイレ室１には便器３が設置されている。便器３は便座３１１を有する洋式便器である。以下では便座３１１に着座した便器３の利用者が向く方向を前方として説明する。
【００１５】
トイレ室１の前側の壁１３には、トイレ室１に出入りするための出入口１４が設けられている。出入口１４には扉１６が設けられている。トイレ室１の浴室２側となる側方の壁１０には連絡口１５が設けられている。トイレ室１と浴室２は連絡口１５を介して通じており、連絡口１５は浴室２の出入口として利用される。連絡口１５には扉１７が設けられている。
【００１６】
便器３はトイレ室１における浴室２側の壁１０と後側の壁１２に沿って配置されている。便器３はトイレ室１の四方の壁１０〜１３と離間している。また、便器３は連絡口１５よりも後方に位置している。
【００１７】
トイレ室１には洗面用設備として洗面台４が設置されている。洗面台４はトイレ室１の浴室２と反対側の壁１１に沿って設けられている。洗面台４は壁１１の前後方向の全長に亘って設けられている。洗面台４の上端部には上方に開口する洗面ボウル４０が設けられている。洗面ボウル４０は洗面台４の前部に形成され、便器３よりも前方に配置されている。洗面台４には洗面ボウル４０に水を供給するための水栓４１が設けられている。トイレ室１において便器３よりも前側に居る利用者は、水栓４１や洗面ボウル４０を利用できる。また、洗面台４の上面において洗面ボウル４０よりも後側の部分４２は、トイレ室１において部分４２と便器３の間に居る利用者が化粧台として利用できるようになっている。すなわち、洗面台４は化粧用設備としても利用できるものである。
【００１８】
トイレ室１には鏡５が設けられている。鏡５はトイレ室１の浴室２と反対側の壁１１に沿って設けられている。鏡５は洗面台４よりも上方に位置している。鏡５は洗面台４の前部に対応する部分から洗面台４の後部に対応する部分にまで至っている。鏡５は洗面台４の洗面ボウル４０及び部分４２に対応する位置に存在している。このため、洗面ボウル４０や部分４２を利用する利用者は鏡５を利用できる。
【００１９】
便器３は図１に示されるように便器本体３０と便座装置３１を有している。なお、本実施形態の便器３は便蓋を有していないが、便蓋を有するものであってもよい。
【００２０】
便器本体３０はトイレ室１の床上に設置されている。便器本体３０には上方に開口するボウル部３００（便鉢部）が形成されている。図示は省略するが、便器本体３０には給水手段が設けられている。この給水手段によりボウル部３００内に水を供給し、この水をボウル部３００内に連通する排水管へ排出することで、ボウル部３００の内面を洗浄できるようになっている。
【００２１】
便座装置３１は、便器本体３０の後部上に設置された装置本体３１０と、装置本体３１０に回動自在に取り付けられた便座３１１を有している。便器本体３０はボウル部３００よりも後方の上面に設置されている。便座３１１は、図１に示されるように便器本体３０上に載置した位置から、便器本体３０上に起立した位置まで左右軸回り方向に回動自在となっている。ここで、左右軸回り方向とは、回動軸が左右方向と平行であることを意味する。
【００２２】
図３に示されるように便座装置３１は、便座加熱手段３１２、局部洗浄手段３１３、洗浄水加熱手段３１４、及び制御手段３１５を有している。便座加熱手段３１２は便座３１１を利用者にとって適切な温度にまで加熱する。便座加熱手段３１２は例えば便座３１１に内装されたヒーターで構成される。局部洗浄手段３１３は便座３１１に着座した利用者の局部に向けて洗浄水として噴射する。局部洗浄手段３１３は例えば装置本体３１０に設けられた洗浄ノズルで構成される。
【００２３】
洗浄水加熱手段３１４は局部洗浄手段３１３によって吐出される水を利用者にとって適切な温度にまで加熱する。局部洗浄手段３１３に温水を供給する方式は貯湯式である。貯湯式は水道水から供給された水をタンクに貯め、この水を加熱し、このようにタンクで加熱された温水を局部洗浄手段３１３に供給する。洗浄水加熱手段３１４は例えば前記タンク内の水を加熱するヒーターによって構成される。
【００２４】
図１及び図４に示されるように、トイレ室１の便器３の側方に位置する壁１０には、カウンター６が設けられている。カウンター６は便器３よりも面積が大きな前後に長い矩形板状に形成されている。
【００２５】
トイレ室１の壁１０には前後に離間して支持具７０が設けられている。カウンター６はその一方の長辺を構成する側端部が、両支持具７０により前後軸回り方向に回動可能に支持されている。カウンター６の回動軸と同レベルに位置する両支持具７０は、便器３、詳しくは便器本体３０に載置した便座３１１よりもやや上方位置に設けられている。
【００２６】
カウンター６の回動範囲は支持具７０によって制限されている。カウンター６の回動範囲は、図１に示されるように立てられた非使用位置から図４に示されるように倒された使用位置までの範囲である。図１に示されるように非使用位置に配置されたカウンター６は、その厚み方向が左右方向と平行になり、壁１０に沿って配置される。このため、カウンター６を使用しないときにはカウンター６を非使用位置まで回動して配置することで、カウンター６をトイレ室１に居る人にとって邪魔になり難い位置に配置することができる。
【００２７】
図４に示されるように使用位置に配置されたカウンター６は、その厚み方向が上下方向と平行になり、便器３の上方に配置される。なお、使用位置に配置されたカウンター６は便器本体３０に載置された便座３１１の直ぐ上に位置するが、この便座３１１には接触しない。すなわち、カウンター６は便器３と非接触である。使用位置に配置されたカウンター６の上面には、化粧品や着替え等の物品を載せることができる。また、カウンター６が使用位置に配置されたとき、図２に示されるようにカウンター６の長さ方向の中間部は便器３と重複し、カウンター６によって便器３全体の上方が覆われる。このため、使用位置に配置されたカウンター６によって便器３は見え難くなる。なお、カウンター６が使用位置にあるときに便器３を利用する場合は、カウンター６を図１に示される非使用位置に回動して、便器３の全体を露出させればよい。
【００２８】
また、カウンター６の下面、すなわち、使用位置に配置されたときに下方を向く面には、ペーパーホルダー７１及び便器３の操作器７２が取り付けられている。ペーパーホルダー７１はトイレットペーパー７３を前後軸回り方向に回転可能に支持する。ペーパーホルダー７１は便器３よりもやや前方に位置している。
【００２９】
操作器７２は便器３の制御手段３１５に無線信号を送って便器３を遠隔操作するリモートコントローラーである。操作器７２はペーパーホルダー７１よりも後方で且つ前後方向において便器３と重複する位置に配置されている。
【００３０】
矩形パネル状の操作器７２はその一面を操作部７２０を有する操作面７２１としている。操作面７２１はカウンター６と反対側を向いている。利用者は、操作器７２の操作部７２０を操作することで、便器３に対して前記給水手段によって行われるボウル部３００の洗浄の指令や、局部洗浄手段３１３による洗浄の指令等を行えるようになっている。
【００３１】
図１に示されるようにカウンター６が非使用位置に配置されたとき、ペーパーホルダー７１及び操作器７２は、便器３の近傍で且つ便器本体３０に載置された便座３１１よりも上方に配置される。また、このとき、操作器７２の操作面７２１は便器３側となる側方を向く。このため、便器３の利用者は、操作器７２やペーパーホルダー７１で保持されたトイレットペーパー７３を便座３１１に着座したまま使用することができる。また、図４に示されるようにカウンター６が使用位置に配置されたとき、ペーパーホルダー７１全体の上方及び操作器７２全体の上方はカウンター６によって覆われる。このため、トイレ室１に居る人からは、トイレ室用品であるペーパーホルダー７１や便器３の付属品である操作器７２が見え難くなる。
【００３２】
また、トイレ室１には図３に示される検知手段７４が設けられている。検知手段７４は、使用位置に配置されたカウンター６が非使用位置側に回動されたことを検知する又はカウンター６が非使用位置に配置されたことを検知するセンサーで構成される。このセンサーは、カウンター６、支持具７０、壁１０等に設けられる。なお、前記のセンサーとしては、リミットスイッチや回転角センサー、光センサー等が挙げられるが、これらに限られるものではない。
【００３３】
検知手段７４は、その検知信号を常時又は所定時間毎に制御手段３１５に送信する。制御手段３１５は、検知手段７４の出力に基づき、使用位置に配置されたカウンター６が非使用位置側に回動されたこと、又はカウンター６が非使用位置に配置されたことを検知した際、便座加熱手段３１２及び洗浄水加熱手段３１４を以下のように制御する。すなわち、この場合、制御手段３１５は、便座加熱手段３１２による便座３１１の加熱を開始し、また、洗浄水加熱手段３１４による洗浄水の加熱を開始する。これにより、便器３を利用する利用者がカウンター６を非使用位置側に回動させた際、又はカウンター６を非使用位置に配置した際には、便座３１１が加熱され、また、局部洗浄手段３１３に供給されるタンク内の水が加熱される。なお、前記の便座加熱手段３１２による便座３１１の加熱、及び、洗浄水加熱手段３１４による洗浄水の加熱は、例えば所定時間が経過した際、あるいは別の検知手段によりカウンター６が使用位置側に回動されたこと又は使用位置に配置されたことを検知した際に停止される。
【００３４】
以上のとおり、本実施形態のトイレ室構造は、トイレ室１の壁１０に設けられ、壁１０から突出して便器３の上方を覆う使用位置から壁１０に沿う非使用位置まで回動可能なカウンター６を備えている。このため、カウンター６を使用位置に配置することで、便器３を見え難くすることができる。また、カウンター６はトイレ室１の壁１０に設けられるので、便器３と一体的に見え難い。よって、利用者に対して衛生的な印象を与えることができる。
【００３５】
また、本実施形態のトイレ室構造は、使用位置に配置されたカウンター６の下方に配置されるペーパーホルダー７１を備えている。このため、使用位置に配置されたカウンター６によってペーパーホルダー７１の上方を覆い、ペーパーホルダー７１を見え難くすることができる。よって、利用者に対してより衛生的な印象を与えることができる。
【００３６】
また、本実施形態では、カウンター６の使用位置に配置されたときに下面となる面にペーパーホルダー７１が設けられている。このため、カウンター６を使用位置に配置したときに、このカウンター６の直ぐ下にペーパーホルダー７１を配置して、ペーパーホルダー７１をより見え難くすることができる。また、カウンター６が非使用位置に配置されたときには、ペーパーホルダー７１を、便座３１１に着座した利用者の手が届きやすい、便器３よりも上方の位置に配置することができる。
【００３７】
また、本実施形態のトイレ室構造は、使用位置に配置されたカウンター６が非使用位置側に回動されたこと、又はカウンター６が非使用位置に配置されたことを検知する検知手段７４と、制御手段３１５を備えている。そして、制御手段３１５は、検知手段７４により使用位置に配置されたカウンター６が非使用位置側に回動されたこと又はカウンター６が非使用位置に配置されたことを検知した際に、便座加熱手段３１２によって便器３の便座３１１を加熱する制御を行う。また、洗浄水加熱手段３１４によって便器３から吐出される局部洗浄用の洗浄水を加熱する制御を行う。これにより、利用者が便器３を利用するにあたってカウンター６を非使用位置側に回動したとき又はカウンター６を非使用位置まで回動したときに、便座３１１を加熱し、局部洗浄手段３１３に供給される水を加熱することができる。従って、便座３１１や局部洗浄手段３１３より吐出される洗浄水を利用者にとって最適な温度にまで速やかに暖めることができる。
【００３８】
また、トイレ室１には洗面用設備（洗面台４）と化粧用設備（洗面台４）が設けられており、トイレ室１を洗面室兼化粧室としても利用することができる。このため、使用位置に配置したカウンター６上に洗面用具や化粧品等を置いたり、使用位置に配置したカウンター６上で化粧を行ったりすることができる。
【００３９】
また、トイレ室１には、隣接する浴室２への連絡口１５が設けられている。このため、トイレ室１を脱衣室として利用することができる。また、浴室２を利用する際には、使用位置に配置したカウンター６に着衣等を置いて、カウンター６を着替え置きとして利用することができる。
【００４０】
なお、本実施形態ではペーパーホルダー７１をカウンター６に設けた。しかし、ペーパーホルダー７１は使用位置に配置されたカウンター６によって上方が覆われるものであれば、壁１０や便器３に設けられるものであってもよい。
【００４１】
また、本実施形態では使用位置に配置されたカウンター６が非使用位置側に回動された際、又はカウンター６が非使用位置に配置された際に、便座加熱手段３１２によって便座３１１を加熱する制御を行う。また、洗浄水加熱手段３１４によって洗浄水を加熱する制御を行う。しかし、便座加熱手段３１２の制御及び洗浄水加熱手段３１４の制御のうち、一方の制御のみ行ってもよい。また、前記の検知手段７４の検知結果に基づく制御を行わなくてもよい。
【００４２】
また、トイレ室１には洗面台４や洗面ボウル４０で構成される洗面用設備、又は化粧台等で構成される化粧用設備のうちの一方のみを設けてもよいし、洗面用設備及び化粧用設備を設けなくてもよい。また、トイレ室１は浴室２に隣接する部屋でなく、脱衣室として利用されるものでなくてもよい。
【符号の説明】
【００４３】
１  トイレ室
２  浴室
３  便器
４  洗面台（洗面用設備、化粧用設備）
５  鏡（洗面用設備、化粧用設備）
６  カウンター
１０  壁
１５  連絡口
７１  ペーパーホルダー
７４  検知手段
３１２  便座加熱手段
３１４  洗浄水過熱手段
３１５  制御手段
【図１】
2014132965.tif 000003
【図２】
2014132965.tif 000004
【図３】
2014132965.tif 000005
【図４】
2014132965.tif 000006